(57)【特許請求の範囲】
【請求項１】
装置のカバーの一方の面に可撓性を有する板状体を保持させるための板状体保持構造であって、
前記板状体は、末端を除く外周が板状体の本体を貫通する孔で囲まれた保持部を有し、
前記カバーは、前記保持部が挿入される開口部を有し、
前記保持部は、係合部と、前記末端から第１の方向に延びて前記係合部に接続された基部とを有し、前記第１の方向に垂直な第２の方向における長さを幅とすると、前記基部の幅が、前記係合部の幅よりも小さく、かつ前記開口部の幅と同等であり、
前記カバーの他方の面のうち前記開口部に隣接した領域には、前記カバーの厚みよりも薄い偏肉部であって、前記係合部の側から前記第１の方向に沿って前記開口部に挿入された前記保持部を内部に収容する偏肉部が設けられ、
前記偏肉部は、平面視において、前記係合部の幅と同等またはそれ以上の幅を有し、前記係合部を収容する第１の部分と、前記基部の幅と同等の幅を有し、前記基部を収容する第２の部分とを有し、前記第１の部分と前記第２の部分との間に、前記第１の部分に収容された前記係合部と係合して前記開口部から引き出される方向への前記保持部の移動を規制する被係合部が形成されている、板状体保持構造。
【請求項２】
請求項１に記載の板状体保持構造において、
前記係合部の先端の両角が面取りされている、板状体保持構造
【請求項３】
請求項２に記載の板状体保持構造において、
前記係合部の末端の両角が面取りされている、板状体保持構造。
【請求項４】
請求項１から３のいずれか１項に記載の板状体保持構造において、
前記開口部は前記カバーに設けられた壁掛け用の穴である、板状体保持構造。
【請求項５】
請求項１から３のいずれか１項に記載の板状体保持構造において、
前記カバーは、互いに９０度で接する２つの板を有し、
前記開口部は、前記２つの板のうち一方の板であって、該２つの板の合わせ目に設けられている、板状体保持構造。
【請求項６】
請求項５に記載の板状体保持構造において、
前記偏肉部は、前記２つの板のうち他方の板に設けられている、板状体保持構造。
【発明の詳細な説明】
【技術分野】
【０００１】
本発明は、装置のカバーにカード状の板状体を保持させるための板状体保持構造に関する。
【背景技術】
【０００２】
サーバおよびＰＯＳ（Point Of Sales system）等の装置を利用するユーザは、装置の設定時やトラブル発生時などに、マニュアルだけでは対応が困難であると、装置の保守員に連絡を取る必要がある。このような事態に備えて、装置のベンダーによっては、保守員の連絡先が記載されたカードを装置のカバーの外側に取り付けていることがある。
装置のカバーにカードを取り付けるためのカード保持構造の一例を説明する。
図１５および図１６は関連するカード保持構造の一構成例を示す図である。図１５はその外観斜視図である。
図１５に示すように、装置のカバー２０１の側面には、カード２０２を保持するためのリブ２０３ａ、２０３ｂが設けられている。カード２０２をカバー２０１に取り付ける際、図１５に示すように、カード２０２の上下をリブ２０３ａ、２０３ｂに位置合わせして、矢印の示す方向にカード２０２をスライドさせてリブ間に挿入する。図１６（ａ）はカード２０２がカバー２０１の側面に取り付けられた状態を示す。図１６（ｂ）は図１６（ａ）に示すＡＡ線の部分の断面図である。図１６（ｂ）に示すように、リブ２０３ａ、２０３ｂは、カード２０２の上下を抱え込む形状になっている。
【０００３】
保持対象のカードが上記のカードとは種類が異なるが、カードの保持構造の一例が特許文献１に開示されている。特許文献１には、電子機器に使用されるカードを挿入するためのガイド部が設けられた構造が開示されている。また、特許文献２には、半導体メモリカードを収納するためのケースが開示されている。特許文献１および２に開示された、いずれの構造においても、ガイド部および収納部のサイズは保持対象のカードの規格によって決まっている。
【先行技術文献】
【特許文献】
【０００４】
【特許文献１】特開平１１−４５３１２号公報
【特許文献２】特開２００１−３１９１９６号公報
【発明の概要】
【発明が解決しようとする課題】
【０００５】
図１５に示したカード保持構造、ならびに特許文献１および２に開示されたカード保持構造では、サイズが規格に適合したカードしか保持することができない。装置のサイズがカードよりも小さい場合、装置のカバーにカードの上下を挿入するためのリブを２箇所設けることができない。また、図１５に示した構造では、サイズが規格に適合したカードでも、カードの上下をリブの狭い隙間に位置合わせしてカードをスライドさせて挿入しなければならず、カードの取り付けおよび取り外しに手間がかかってしまう。
図１５に示したカバーにおいて、カードの取り付けおよび取り外しを容易にし、また、サイズが規格よりも大きいカードも装着できるように、上下のリブの間の距離を広くすることも考えられる。この場合、サイズが規格に合ったカードをカバーに取り付けた場合、装置を傾けたときにカードが自重でリブから抜け落ちてしまうおそれがある。
【０００６】
本発明は上述したような技術が有する問題点を解決するためになされたものであり、装置および板状体のサイズに依存せず、装置のカバーに板状体を容易に取り付け可能にした板状体保持構造を提供することを目的とする。
【課題を解決するための手段】
【０００７】
上記目的を達成するための本発明の板状体保持構造は、装置のカバーの一方の面に可撓性を有する板状体を保持させるための板状体保持構造であって、
前記板状体は、末端を除く外周が板状体の本体を貫通する孔で囲まれた保持部を有し、
前記カバーは、前記保持部の先端側から該保持部が挿入される開口部を有し、
前記保持部は、係合部と、前記末端から第１の方向に延びて前記係合部に接続された基部とを有し、前記第１の方向に垂直な第２の方向における長さを幅とすると、前記基部の幅が、前記係合部の幅よりも小さく、かつ前記開口部の幅と同等であり、
前記カバーの他方の面のうち前記開口部に隣接した領域には、前記カバーの厚みよりも薄い偏肉部であって、前記係合部の側から前記第１の方向に沿って前記開口部に挿入された前記保持部を内部に収容する偏肉部が設けられ、
前記偏肉部は、平面視において、前記係合部の幅と同等またはそれ以上の幅を有し、前記係合部を収容する第１の部分と、前記基部の幅と同等の幅を有し、前記基部を収容する第２の部分とを有し、前記第１の部分と前記第２の部分との間に、前記第１の部分に収容された前記係合部と係合して前記開口部から引き出される方向への前記保持部の移動を規制する被係合部が形成されている。
【発明の効果】
【０００８】
本発明によれば、装置および板状体のサイズに依存せず、装置のカバーに板状体を容易に取り付けることができる。
【図面の簡単な説明】
【０００９】
【図１】第１の実施形態におけるカードの構成例を示す外観図である。
【図２】第１の実施形態におけるカードの別の構成例を示す外観図である。
【図３】第１の実施形態におけるカバーの構成を説明するための図である。
【図４】第１の実施形態において、カードをカバーに取り付ける方法を説明するための図である。
【図５】第１の実施形態において、カードをカバーに取り付ける方法を説明するための図である。
【図６】第１の実施形態において、カードをカバーに取り付ける方法を説明するための図である。
【図７】第２の実施形態におけるカードの一構成例を示す外観図である。
【図８】第３の実施形態におけるカバーの一構成例を示す外観図である。
【図９】第４の実施形態におけるカバーおよびカードの一構成例を示す外観斜視図である。
【図１０】第４の実施形態において、カードをカバーに取り付ける方法を説明するための図である。
【図１１】第５の実施形態におけるカバーの一構成例を示す外観斜視図である。
【図１２】第５の実施形態において、カードをカバーに取り付ける方法を説明するための図である。
【図１３】一般的なカバーに設けられた、壁掛け用の穴の構成例を示す図である。
【図１４】第６の実施形態におけるカバーの一構成例を示す外観図である。
【図１５】関連するカード保持構造の一構成例を示す外観斜視図である。
【図１６】図１５に示したカード保持構造におけるカバーの外観図および断面図である。
【発明を実施するための形態】
【００１０】
（第１の実施形態）
本実施形態のカード保持構造の構成を説明する。はじめに、カードの構成を説明する。
図１は本実施形態におけるカードの構成例を示す外観図である。図１（ｂ）は図１（ａ）に示す破線３０１で囲まれた部分を拡大した図である。
図１（ａ）に示すように、カード４は形状が長方形の板である。カード４の素材は、例えば、プラスチックである。図１に示すように、カード４の長方形の２つ長辺のうち、一方の長辺の近くであって、辺の中心付近に、外周の一部を除いてカード本体を貫通する孔１２５によって囲まれた保持部１２が設けられている。
図１（ｂ）に示すように、保持部１２は係合部１２１および基部１２２を有する。基部１２２の末端はカード４と接続されている。保持部１２において、カード４の長辺に平行な方向の長さを幅とすると、係合部１２１の幅の方が基部１２２の幅よりも大きい。
係合部１２１の末端には、基部１２２との幅の違いによる段差１２３が両側に設けられている。一方、係合部１２１の先端は両角１２６が面取りされている。これは、後述するが、保持部１２をカバー（不図示）の開口部に挿入しやすくするためである。面取りの代わりに、図２に示すように、角を丸めた形状であるＲを両角１２７に設けてもよい。
【００１１】
次に、図１に示したカードを保持するカバーの構成を説明する。
図３は本実施形態におけるカバーの構成を説明するための図である。図３（ａ）は本実施形態におけるカバーの一構成例を示す外観図である。図３（ｂ）は図３（ａ）に示すＢＢ線の部分の断面図であり、図３（ｃ）は図３（ａ）に示す破線３０２で囲まれた部分を拡大した図である。
図３（ａ）はカバー５の内側を示している。カバー５は形状が四角形の板である。カバー５の素材は、例えば、プラスチックである。図３（ａ）に示すように、カバー５には開口部２０が設けられている。
図３（ｂ）に示すように、開口部２０の上側には、厚みがカバー本体よりも薄い偏肉部２１が設けられている。図３（ｃ）では、偏肉部２１をクロスハッチングで示している。偏肉部２１の上側の幅Ｗ２は、係合部１２１の幅と同等またはそれ以上である。偏肉部２１の上側の高さＬ２は、図１に示した係合部１２１の先端から末端までの長さと同等またはそれ以上である。図３（ｃ）に示すように、偏肉部２１の下側の幅Ｗ１は、上側の幅Ｗ２より狭くなっている。幅Ｗ１はカード４の基部１２２の幅と一致している。図３（ｃ）に示すように、開口部２０の幅も幅Ｗ１と同じである。開口部２０の高さＬ１は保持部１２の厚みよりも大きい。
また、図３（ｃ）に示すように、偏肉部２１とカバー本体との厚みとの差による段差が設けられている。この段差は、カード４の係合部１２１の末端が引っ掛かる被係合部２３として機能する。
【００１２】
次に、本実施形態のカード保持構造における、カード４のカバー５への取り付け方法を説明する。
図４から図６は、本実施形態において、カードをカバーに取り付ける方法を説明するための図である。
図４の破線３０３内に示す係合部１２１の先端をカバー５の開口部２０の位置に合わせて、カード４を矢印の方向にスライドさせ、保持部１２を開口部２０に挿入する。その際、係合部１２１の先端の両角が面取りされているので、保持部１２を開口部２０に挿入しやすい。係合部１２１の幅は開口部２０の幅より大きいが、カード４の素材は可撓性のあるプラスチックなので、係合部１２１は開口部２０の上下方向にたわみ、開口部２０を通過してカバー５の内部に挿入される。
図５（ａ）はカバーを外側から見た状態を示す外観図である。図５（ｂ）は図５（ａ）に示すＣＣ線の部分における断面図である。図５（ｂ）に示すように、係合部１２１が偏肉部２１に重なるように、係合部１２１および基部１２２が開口部２０内に挿入される。
図６（ａ）はカバーを内側から見た状態を示す外観図である。図６（ｂ）は図６（ａ）に示す破線３０４で囲まれた部分を拡大した図である。図６（ｃ）は破線３０４で囲まれた部分の拡大斜視図である。
係合部１２１の末端が偏肉部２１の幅が狭いところを過ぎると、係合部１２１が幅方向に広がり、図６（ｂ）および図６（ｃ）に示すように、係合部１２１の末端の両角の段差がカバー５の被係合部２３に引っ掛かる。
【００１３】
本実施形態によれば、カードの保持部をカバーの開口部に挿入すると、カードがカバーに保持される。そのため、装置のサイズがカードよりも小さくても、その装置のカバーにカードを取り付けることが可能となる。装置およびカードのサイズに依存せずにカードをカバーに取り付けられる。カードの係合部の末端の段差をカバーの被係合部に引っ掛ける簡易ロック構造でカードが保持されるので、カードの上下を２箇所のリブに位置合わせしてカードをリブ間に挿入する必要がない。そのため、カードの取り付けおよび取り外しが容易であり、また、カードが自重で落下するのを防ぐことができる。
また、本実施形態は、装置のカバーの外観上、カードの保持部を挿入するための開口部が設けられる構成である。開口部はシンプルで目立たない形状なので、装置のカバーデザインに対する影響が小さい。
【００１４】
（第２の実施形態）
本実施形態は、第１の実施形態におけるカード保持構造において、カードの保持部の末端にも面取りまたはＲが設けられた構成である。
本実施形態におけるカードの構成を説明する。なお、第１の実施形態と同様な構成についての詳細な説明を省略する。
図７は本実施形態におけるカードの一構成例を示す外観図である。図７（ａ）はカードの外観図であり、図７（ｂ）は図７（ａ）に示す破線３０５で囲まれた部分を拡大した図である。
図７（ｂ）に示すように、プラスチックのカード６の係合部１３１は、先端の両角が図１に示した係合部１２１と同様に面取りされているだけでなく、末端の両角１３２も面取りされている構成である。図７では、係合部１３１の先端および末端が面取りされている場合を示しているが、図２に示したように、係合部１３１の先端および末端にＲが設けられていてもよい。なお、本実施形態のカード保持構造における、カードのカバーへの取り付け方法は第１の実施形態と同様になるため、その詳細な説明を省略する。
本実施形態では、カードの保持部の末端の両角に面取りまたはＲが設けられている。そのため、第１の実施形態と同様な効果が得られるだけでなく、カードをカバーからより取り外しやすくなる。
【００１５】
（第３の実施形態）
本実施形態は、第１の実施形態のカード保持構造において、カバーの内側を別の構成にしたものである。
図８は本実施形態におけるカバーの一構成例を示す外観図である。なお、第１の実施形態と同様な構成についての詳細な説明を省略する。
図８（ａ）はカバーを内側から見たときの外観斜視図である。図８（ｂ）および図８（ｃ）は図８（ａ）に示す破線３０６で囲まれた部分の拡大図である。図８（ｂ）はカードの取り付け前の状態を示し、図８（ｃ）はカード取り付け後の状態を示す。
図８（ｂ）に示すように、プラスチックのカバー７の内側には、開口部２０の上辺に沿って開口部２０の上側（開口部２０とは反対側）の両側にリブ８が設けられている。図８（ｃ）に示すように、カード４の係合部１２１がカバー７の開口部２０に挿入されると、係合部１２１の末端がリブ８に引っ掛かる。リブ８は係合部１２１が引っ掛かる被係合部として機能する。
なお、カバー７は、第１の実施形態で説明したカバー５と比べると、被係合部としてリブ８が設けられている代わりに、偏肉部２１が設けられていない構成である。本実施形態における、カードのカバーへの取り付け方法は、第１の実施形態と同様になるため、その詳細な説明を省略する。
本実施形態では、第１の実施形態で説明した、偏肉部とカード本体との段差による係合部としての役割を、カバー内側に設けたリブに持たせている。そのため、第１の実施形態と同様な効果が得られるだけでなく、カバーに偏肉部を設けるよりも、カバーの外観面にムラ等の成形不良が出にくいという効果がある。
本実施形態では、第１の実施形態をベースにして説明したが、第２の実施形態を適用してもよい。
【００１６】
（第４の実施形態）
本実施形態は、第１の実施形態におけるカバーの開口部が別の位置に設けられた構成であり、カードの構成はカバーの構成に対応して、第１の実施形態とは異なる。
図９は本実施形態におけるカバーおよびカードの一構成例を示す外観斜視図である。
図９に示すように、カバー９は、互いに９０度で接する２枚の板９ａ、９ｂを有する。以下では、説明の便宜のために、板９ａの面をカバー９の正面とし、板９ｂの面をカバー９の側面とする。これら２枚の板９ａ、９ｂの合わせ目であって、板９ｂに開口部２０が設けられている。図９に示すカバー９では、開口部２０は板９ｂの辺の中央に設けられているが、開口部２０の位置は図９に示す位置に限らない。後で図を参照して説明するが、板９ａにおける、開口部２０に対応する位置には、図３を参照して説明したカバー５と同様に偏肉部２１が設けられている。
図９に示すように、カード１０は保持部１５を有する。保持部１５は、図１に示した保持部１２と比べると、向きが逆になっている。つまり、保持部１５の末端側がカード１０の外周に近い方に位置し、保持部１５の先端側がカード１０の中心に近い側に位置している。また、保持部１５は、図１に示した係合部１２１も基部１２２と同じ幅で形成されている。保持部１５の先端には第１の実施形態と同様に、面取りまたはＲが設けられている。カバー９およびカード１０の素材はプラスチックである。
なお、本実施形態では、カバー９およびカード１０の構成について、第１の実施形態で説明したカバー５およびカード４の構成と異なる部分を中心に説明しており、第１の実施形態と同様な構成についての説明を省略する。
【００１７】
次に、カード１０をカバー９に取り付ける方法を説明する。
図１０は本実施形態において、カードをカバーに取り付ける方法を説明するための図である。図１０（ａ）はカバーを外側から見たときの外観図であり、図１０（ｂ）は図１０（ａ）に示すＤＤ線の断面図である。
図９に示すように、カバー９の側面に設けられた開口部２０にカード１０の保持部１５の位置を合わせ、カード１０を矢印が示す方向に挿入する。図１０（ａ）は、カード１０がカバー９に取り付けられた状態を示す。図１０（ｂ）を見てわかるように、板９ａは、第１の実施形態で説明した構成と同様に、板厚内で偏肉されている構成である。保持部１５が偏肉部２１によって曲げられているが、保持部１５が元に位置に戻ろうとする力が偏肉部２１にかかることで、カード１０がカバー９に保持される。
図１に示したカード４と比べるとカード１０は保持部１５の向きが逆になっているので、カード１０をカバー９に取付けた状態（図１０（ａ））では、カード１０は板９ａよりも外側に大きく飛び出さず、そのほとんどが板９ａと重なっている。本実施形態では、カード１０の保持部１５が開口部２０を通過する際にたわむことがないので、開口部２０の高さＬ３は、保持部１５の厚み、つまりカード１０の厚みと同等とすることが可能となる。
【００１８】
本実施形態では、カバーの側面に開口部を設け、開口部におけるカード厚み方向の寸法をカード厚みと同等にすることが可能である。そのため、第１の実施形態と同様な効果が得られるだけでなく、カバーのデザインへの影響がより出にくいという効果がある。
本実施形態では、板９ａに偏肉部２１を設ける場合で説明したが、板９ａを薄くしても強度が得られるのであれば、板９ａ全体を偏肉部２１と同じ厚みにしてもよい。
また、本実施形態における保持部および開口部の構成が、第１の実施形態で説明した保持部および開口部と同様な構成であってもよい。保持部１５が、基部１２２と、基部１２２よりも幅の広い係合部１２１とを有する構成である場合、図１０（ｂ）に示すように、板９ｂは係合部１２１が引っ掛かる被係合部として機能する。この場合、第２の実施形態を適用してもよい。
【００１９】
（第５の実施形態）
本実施形態は、第１の実施形態のカード保持構造において、開口部を有するリブがカバーの外側に設けられた構成である。
本実施形態におけるカバーの構成を説明する。なお、第１の実施形態と同様な構成についての詳細な説明を省略する。
図１１は本実施形態におけるカバーの一構成例を示す外観斜視図である。図１１に示すように、プラスチックのカバー１７の外側の面に、カバー１７の面に沿って貫通する開口部を有するコの字状のリブ１８が設けられている。カバー１７は、第１の実施形態で説明した偏肉部２１は設けられていない。
【００２０】
次に、カード４をカバー１７に取り付ける方法を説明する。
図１２は本実施形態において、カードをカバーに取り付ける方法を説明するための図である。図１２（ａ）はカバーを外側から見たときの外観図であり、図１２（ｂ）は図１２（ａ）に示すＥＥ線の部分の断面図である。図１２（ｃ）は図１２（ａ）に示すＦＦ線の部分の断面図であり、図１２（ｄ）は図１２（ａ）に示す破線３０７で囲まれた部分の拡大図である。
図１１に示すように、カード４の保持部１２をカバー１１に設けられたリブ１８の開口部の位置に合わせて、カード４を図１１に示す矢印の方向にスライドして、保持部１２を開口部に挿入する。
図１２（ａ）はカード４がカバー１１に取り付けられた状態を示す。図１２（ｂ）に示すように、リブ１８は開口部２５が設けられたトンネル形状になっている。図１２（ｃ）に示すように、カード４の係合部１２１はリブ１８の上側に位置している。図１２（ｄ）に示すように、係合部１２１がリブ１８に引っ掛かっている。リブ１８は係合部１２１の被係合部として機能する。
本実施形態では、カバーの外側に設けたトンネル状のリブが、第１の実施形態における、偏肉部の幅を狭くした形状と同様に、カードが引っ掛かる役割を果たしている。そのため、カバーには、外側に小さなリブを設けるだけでよいので、第１の実施形態と同様な効果が得られる。
本実施形態では、第１の実施形態をベースにして説明したが、第２の実施形態を適用してもよい。
【００２１】
（第６の実施形態）
本実施形態は、第１の実施形態で説明したカード保持構造において、カバーに設ける開口部として、装置のカバーに設けられた壁掛け用の穴を利用するものである。
図１３は、一般的なカバーに設けられた、壁掛け用の穴の構成例を示す図である。図１３（ａ）はカバーの外観斜視図であり、図１３（ｂ）はカバーの正面図であり、図１３（ｃ）はカバーの背面図である。
図１３（ａ）に示すように、カバー２１０は壁掛け用穴２１１が設けられている。図１３（ｂ）に示すように、壁掛け用穴２１１の開口形状は、上部２１２より下部２１４の方が面積の大きいひょうたん形状になっている。壁に固定したネジに装置を固定する際、カバー２１０の下部２１４をネジの頭の位置に合わせて装置を壁側に押した後、装置を少し下げることで、ネジの軸の部分が上部２１２に入りこむ。この状態で装置から手を離せば、ネジにカバー２１０の上部２１２の上端が引っ掛かる。
【００２２】
次に、本実施形態におけるカバーに、図１３に示した壁掛け用の穴が適用された場合の構成を説明する。
図１４は、本実施形態におけるカバーの構成例を示す外観図である。図１４（ａ）はカバーを内側から見た外観図である。図１４（ｂ）はカバーにカードを取り付けた状態を示す外観斜視図である。図１４（ｂ）において、カード４の外周の一部を図に示すことを省略している。
図１４（ａ）に示すように、カバー１９には、壁掛け用穴２１１の上部２１２の上側に第１の実施形態で説明した偏肉部２１による凹形状が設けられている。図１４（ａ）では凹形状をクロスハッチングで示す。カバー１９の壁掛け用穴２１１から図１に示したカード４の保持部１２が挿入されると、図１４（ｂ）に示すように、偏肉部２１およびカバー１９の厚みの違いによる段差に係合部１２１が引っ掛かる。
【００２３】
本実施形態のカバー１９は、壁掛け用穴が設けられたことを除いて第１の実施形態で説明したカバー５と同様な構成である。また、本実施形態におけるカード４も第１の実施形態で説明した構成と同様である。そのため、本実施形態における、カードのカバーへの取り付け方法の詳細な説明を省略する。
本実施形態では、開口部としてカバーに設けられた壁掛け用穴を利用する場合で説明したが、カバーに開口された穴であれば、壁掛け用穴以外の穴であってもよい。本実施形態によれば、壁掛け用穴のように、他の目的でカバーに設けられた穴を上記開口部として利用するので、第１の実施形態と同様にカバーの内側に凹形状を設けるだけでよい。そのため、第１の実施形態と同様な効果だけでなく、機能性をもったデザインをそのまま活用し、デザインに影響を与えることなく、カード保持構造を容易に設けることが可能となる
本実施形態では、第１の実施形態をベースにして説明したが、第１から第３の実施形態のうち、いずれの実施形態を適用してもよい。
【００２４】
なお、上述の実施形態では、カードとカバーがプラスチックの場合で説明したが、他の素材であってもよい。カードは可撓性があればよい。また、保持対象としてカードの場合で説明したが、保持対象はカードの場合に限らない。カードのような板状体で、かつ、保持部を設けることが可能であれば保持対象となり得る。例えば、装置の販売目的で店頭において装置のカバーに商品名、広告および値段等が記載されたタグを取り付ける場合に、本発明の適用が考えられる。
また、カードの保持部の先端がカード外周よりも内側に位置するように保持部が設けられる構成にしているが、保持部の先端がカード外周と一致してもよい。例えば、図１に示したように、保持部の先端がカード外周よりも内側に位置していれば、カードを他のケースから出し入れする際、保持部の先端がケースに引っ掛かってしまうことを防ぐことができる。
【符号の説明】
【００２５】
４、６、１０    カード
５、７、９、１７、１９    カバー
８、１８    リブ
１２、１５    保持部
１２１    係合部
１２２    基部
２０    開口部
２１    偏肉部
２３    被係合部
【図１】
0006551971.tif 000002
【図２】
0006551971.tif 000003
【図３】
0006551971.tif 000004
【図４】
0006551971.tif 000005
【図５】
0006551971.tif 000006
【図６】
0006551971.tif 000007
【図７】
0006551971.tif 000008
【図８】
0006551971.tif 000009
【図９】
0006551971.tif 000010
【図１０】
0006551971.tif 000011
【図１１】
0006551971.tif 000012
【図１２】
0006551971.tif 000013
【図１３】
0006551971.tif 000014
【図１４】
0006551971.tif 000015
【図１５】
0006551971.tif 000016
【図１６】
0006551971.tif 000017